(57)【要約】  【課題】  電源コードに負荷を与えず、また使用者に意識させることなく、圧縮機構を駆動させることができる電気掃除機を提供する。  【解決手段】  電動送風機２、電動送風機２により発生した吸気流で塵埃を吸い込む吸込口１６、及び吸込口１６から吸い込まれた塵埃を集塵する集塵袋３が収容される集塵室１ａを有する本体部１に対して、外力により回転移動する把持部５と、集塵室１ａに収容された集塵袋３を圧縮する回動自在の圧縮板４とを備える電気掃除機に、一端６ａが把持部５に当接し、他端６ｂが圧縮板４に当接しており、把持部５に加えられた外力を、圧縮板４を駆動させる駆動力として圧縮板４へ伝達する線状の駆動力伝達部６を備える。【選択図】      図１
2007014549.tif 000002
【特許請求の範囲】
【請求項１】
吸気流を発生する電動送風機、該電動送風機により発生した吸気流で塵埃を吸い込む吸込口、及び該吸込口から吸い込まれた塵埃を集塵する集塵袋が収容される集塵室を有する本体部に対して、外力により移動する把持部と、前記集塵室に収容された集塵袋を圧縮する圧縮機構とを備える電気掃除機において、
前記把持部に加えられた外力を、前記圧縮機構を駆動させる駆動力として前記圧縮機構へ伝達する駆動力伝達機構を備える
ことを特徴とする電気掃除機。
【請求項２】
前記圧縮機構は、
前記吸気流を通す通気孔を有し、一部が前記集塵室の前記電動送風機側に枢支されており、前記電動送風機側から前記吸込口側へ回動する圧縮板を備え、
前記駆動力伝達機構は、
一端が前記把持部に当接し、他端が前記圧縮板に当接する線状の駆動力伝達部を備える
ことを特徴とする請求項１に記載の電気掃除機。
【請求項３】
前記集塵室は、
前記駆動力伝達部が挿通している挿通孔を有する
ことを特徴とする請求項２に記載の電気掃除機。
【請求項４】
前記駆動力伝達部は、
前記挿通孔に挿通している線状部分の中心線を回動中心にして回動するようにしてあり、前記線状部分に対して一端側及び他端側の線状部分は屈曲している
ことを特徴とする請求項３に記載の電気掃除機。
【請求項５】
前記集塵室の前記挿通孔と前記駆動力伝達部との間をシールするシール部材を備える
ことを特徴とする請求項３又は請求項４に記載の電気掃除機。
【請求項６】
吸気流を発生する電動送風機、該電動送風機により発生した吸気流で塵埃を吸い込む吸込口、及び該吸込口から吸い込まれた塵埃を集塵する集塵袋が収容される集塵室を有する本体部に対して、外力により移動する把持部と、前記集塵室に収容された集塵袋を振動させて該集塵袋内に付着した塵埃を除去する除塵機構とを備える電気掃除機において、
前記把持部に加えられた外力を、前記除塵機構を駆動させる駆動力として前記除塵機構へ伝達する駆動力伝達機構を備える
ことを特徴とする電気掃除機。
【発明の詳細な説明】
【技術分野】
【０００１】
本発明は、集塵した塵埃を圧縮する圧縮機構、又は集塵袋を振動させることで集塵袋内に付着した塵埃を除塵する除塵機構を有する電気掃除機に関する。
【背景技術】
【０００２】
一般に、電気掃除機は、電動送風機により吸気流を発生させ、発生した吸込流とともに塵埃を集塵室内に集塵するよう構成されている。かかる従来の電気掃除機には、集塵容量を高めるために、集塵した塵埃を圧縮する圧縮機構が設けられている。
【０００３】
図１４は、従来の圧縮機構が設けられた電気掃除機の略示側断面図である。該電気掃除機は、フィルタ１７にて塵埃と空気とを分離し、分離した塵埃を集塵室５０１ａ内に集塵する構成を有している。掃除機本体部５０１内の後部には、吸気流を発生する電動送風機２が設けられ、掃除機本体部５０１内の前部には、吸気流により塵埃を集塵する集塵室５０１ａが設けられている。フィルタ１７は、集塵室５０１ａの電動送風機２側に設けられ、塵埃と空気とを分離する。
【０００４】
吸込口５１６から吸い込まれた塵埃は、フィルタ１７に衝突して集塵室５０１ａ内に溜まっていく。集塵室５０１ａ内に溜まった塵埃は、集塵室５０１ａの上部に設けられた圧縮板５０４を矢符Ｈで示すように下方に移動させることで、集塵室５０１ａの下側に設けられた底面部５１１に対して圧縮される。圧縮板５０４を吸込口５１６の下部まで移動させることで、塵埃が底面部５１１の上面と吸込口５１６の下部との間に圧縮された状態で溜まり、吸込口５１６の下部と集塵室５０１ａの上部との間に、吸込口５１６から電動送風機２への吸気流の通路が確保される。
【０００５】
塵埃が圧縮板５０４により幾度となく圧縮され、これ以上圧縮できない状態にまで溜まると、集塵室５０１ａの底面部５１１を９０度回動させることで、集塵室５０１ａの下側が開口し、塵埃は集塵室５０１ａから外部へ排出される（特許文献１）。
【０００６】
特許文献１に係る電気掃除機においては、使用者が意識して定期的に本体部５０１に設けられた圧縮釦を操作し、圧縮板を駆動させる必要があり、圧縮釦の操作を怠った場合、塵埃は圧縮されないという問題がある。
【０００７】
この問題を解決するために、電気掃除機の電源コードを本体部内に巻き取るコードリールを回転させるバネの弾性力を、圧縮板にも伝達して圧縮板を駆動させるように構成した電気掃除機が提供されている（特許文献２）。
【０００８】
特許文献２に係る電気掃除機においては、電源コードを巻き取る度に、バネの弾性力によって、圧縮板が駆動されるため、使用者は意識することなく、塵埃を圧縮することができる。
【０００９】
図１５は、他の従来の電気掃除機の略示側断面図である。該電気掃除機は、集塵袋３を振動させる振動板８２、振動板８２に当接していて、回転運動によって振動板８２を振動させる回転振動子８１、電源コードを巻き取るコードリール９、及びコードリール９の回転力を回転振動子８１へ伝達する歯車機構６０６を備えている。
【００１０】
図１５に示した電気掃除機においては、コードリール９が回転して電源コードが巻き取られた場合、コードリール９の回転に連動して振動板８２が振動するため、使用者は意識することなく、集塵袋３を振動させ、集塵袋３内に付着した塵埃を落とすことができる。
【００１１】
【特許文献１】実公昭５９−２７８８６号公報
【特許文献２】特願平７−３１３４１２号公報
【発明の開示】
【発明が解決しようとする課題】
【００１２】
特許文献２及び図１５に示した電気掃除機においては、電源コードを巻き取るバネの弾性力によって圧縮板又は回転振動子を駆動させているが、弾性力は、電源コードを本体部から引き出す際に、電源コードに加えられる張力によってバネに蓄えられる。つまり、電源コードの引き出し操作が重くなる。
【００１３】
従って、電源コードを引き出す度に電源コードに無理な負荷が加わるため、電源コードが破損し、又は電源コードの劣化を促進させる虞があるという問題があった。
【００１４】
本発明は、斯かる事情に鑑みてなされたものであり、その目的は、本体部に対して移動する把持部に連動して、把持部に加えられた外力を駆動力として圧縮機構へ伝達する駆動力伝達機構を備えることにより、電源コードに負荷を与えず、また使用者に意識させることなく、圧縮機構を駆動させることができる電気掃除機を提供することにある。
【００１５】
また、本発明の他の目的は、一端が把持部に当接し、他端が圧縮板に当接していて、把持部に加えられた外力を前記圧縮板を回動させる駆動力として伝達する線状の駆動力伝達部を備えることにより、従来の電気掃除機に比べて構成を複雑化することなく、駆動力伝達機構を構成することができる電気掃除機を提供することにある。
【００１６】
更に、本発明の他の目的は、集塵室に設けられた挿通孔に挿通した駆動力伝達部によって、把持部に加えられた外力を圧縮板に駆動力として伝達するように構成することにより、駆動力伝達機構が集塵室の一部を占めることなく、駆動力伝達機構を構成することができ、従来の電気掃除機と同量の塵埃を集塵することができる電気掃除機を提供することにある。
【００１７】
更にまた、本発明の他の目的は、把持部が移動した場合、駆動力伝達部が挿通孔を中心にして回動し、把持部に加えられた外力を圧縮板に与えるように構成することにより、駆動力伝達部が挿通孔に対して直線移動する場合に比べて、駆動力伝達部が安定して圧縮板に駆動力を伝達することができる電気掃除機を提供することにある。
【００１８】
更にまた、本発明の他の目的は、集塵室の挿通孔と駆動力伝達部との間をシールするシール部材を備えることにより、集塵室内の塵埃が本体部の電動送風機側に進入することを防ぐことができる電気掃除機を提供することにある。
【００１９】
更にまた、本発明の他の目的は、本体部に対して移動する把持部に連動して、把持部に加えられた外力を駆動力として除塵機構へ伝達する駆動力伝達機構を備えることにより、電源コードに負荷を与えず、また使用者に意識させることなく、除塵機構を駆動させることができる電気掃除機を提供することにある。
【課題を解決するための手段】
【００２０】
本発明に係る電気掃除機は、吸気流を発生する電動送風機、該電動送風機により発生した吸気流で塵埃を吸い込む吸込口、及び該吸込口から吸い込まれた塵埃を集塵する集塵袋が収容される集塵室を有する本体部に対して、外力により移動する把持部と、前記集塵室に収容された集塵袋を圧縮する圧縮機構とを備える電気掃除機において、前記把持部に加えられた外力を、前記圧縮機構を駆動させる駆動力として前記圧縮機構へ伝達する駆動力伝達機構を備えることを特徴とする。
【００２１】
本発明にあっては、電気掃除機を持ち運びする際に使用される把持部に加えられた外力を、駆動力伝達機構が駆動力として圧縮機構へ伝達する。そして、圧縮機構は、伝達された駆動力によって、集塵袋を圧縮する。
特に、使用者が把持部を使用して本体部を持ち上げた場合、電気掃除機の自重も把持部に加わるため、電気掃除機の自重によって、圧縮機構が駆動される。
【００２２】
本発明に係る電気掃除機は、前記圧縮機構が、前記吸気流を通す通気孔を有し、一部が前記集塵室の前記電動送風機側に枢支されており、前記電動送風機側から前記吸込口側へ回動する圧縮板を備え、前記駆動力伝達機構は、一端が前記把持部に当接し、他端が前記圧縮板に当接する線状の駆動力伝達部を備えることを特徴とする。
【００２３】
本発明にあっては、外力によって把持部が移動した場合、把持部に一端が当接している線状の駆動力伝達部は、把持部に連動して移動し、他端が当接している圧縮板を押圧する。駆動力伝達部によって押圧された圧縮板は、回動し、集塵袋を圧縮する。
【００２４】
本発明に係る電気掃除機は、前記集塵室が、前記駆動力伝達部が挿通している挿通孔を有することを特徴とする。
【００２５】
本発明にあっては、集塵室に設けられた挿通孔を駆動力伝達部が挿通していて、把持部に加えられた外力を電動送風機側から集塵室側の圧縮板へ伝達する。
【００２６】
本発明に係る電気掃除機は、前記駆動力伝達部が、前記挿通孔に挿通している線状部分の中心線を回動中心にして回動するようにしてあり、前記線状部分に対して一端側及び他端側の線状部分は屈曲していることを特徴とする。
【００２７】
本発明にあっては、線状の駆動力伝達部は、挿通孔を中心にして回動することで、把持部に加えられた外力を、駆動力として圧縮板へ伝達する。つまり、把持部が移動した場合、把持部に当接している駆動力伝達部の一端側が移動し、集塵室の挿通孔を挿通している線状部分が軸回りに回動する。そして、線状部分の回動によって他端側も移動し、圧縮板を移動させる。
駆動力伝達部は、挿通孔に対して回動して駆動力を伝達するため、挿通孔の中心線方向に直線移動する場合に比べて、より安定して動作する。例えば、駆動力伝達部が直線移動する場合に、駆動力伝達部が挿通孔に引っ掛るような虞はない。
【００２８】
本発明に係る電気掃除機は、前記集塵室の前記挿通孔と前記駆動力伝達部との間をシールするシール部材を備えることを特徴とする。
【００２９】
本発明にあっては、シール部材が、集塵室の挿通穴と駆動力伝達部との間をシールし、集塵室に吸い込まれた塵埃が電動送風機側に進入することを防ぐ。
【００３０】
本発明に係る電気掃除機は、吸気流を発生する電動送風機、該電動送風機により発生した吸気流で塵埃を吸い込む吸込口、及び該吸込口から吸い込まれた塵埃を集塵する集塵袋が収容される集塵室を有する本体部に対して、外力により移動する把持部と、前記集塵室に収容された集塵袋を振動させて該集塵袋内に付着した塵埃を除去する除塵機構とを備える電気掃除機において、前記把持部に加えられた外力を、前記除塵機構を駆動させる駆動力として前記除塵機構へ伝達する駆動力伝達機構を備えることを特徴とする。
【００３１】
本発明にあっては、電気掃除機を持ち運びする際に使用される把持部に加えられた外力を、駆動力伝達機構が駆動力として除塵機構へ伝達する。そして、除塵機構は、伝達された駆動力によって、集塵袋に付着した塵埃を除塵する。
特に、使用者が把持部を使用して本体部を持ち上げた場合、電気掃除機の自重も把持部に加わるため、電気掃除機の自重によって、除塵機構が駆動される。
【発明の効果】
【００３２】
本発明によれば、電源コードに負荷を与えず、また使用者に意識させることなく、圧縮機構を駆動させることができる。
【００３３】
本発明によれば、従来の電気掃除機に比べて構成を複雑化することなく、駆動力伝達機構を構成することができる。
【００３４】
本発明によれば、駆動力伝達機構が集塵室の一部を占めることなく、駆動力伝達機構を構成することができ、従来の電気掃除機と同量の塵埃を集塵することができる。
【００３５】
本発明によれば、駆動力伝達部が挿通孔に対して直線移動する場合に比べて、駆動力伝達部は安定して圧縮板に駆動力を伝達することができる。
【００３６】
本発明によれば、集塵室内の塵埃が本体部の電動送風機側に進入することを防ぐことができる。
【００３７】
本発明によれば、電源コードに負荷を与えず、また使用者に意識させることなく、除塵機構を駆動させることができる。
【発明を実施するための最良の形態】
【００３８】
以下、本発明をその実施の形態を示す図面に基づいて詳述する。
（実施の形態１）
図１は、本発明の実施の形態１に係る電気掃除機の略示側断面図、図２は、図１の要部拡大図である。
【００３９】
図中１は、中心部分に円形の吸込口１６を有する正面壁１２、背面壁１３、及び正面側と背面側とを仕切る仕切板１４を形成した中空の本体部であり、本体部１の仕切板１４より背面側には電動送風機２が配設されている。
【００４０】
電動送風機２は、本体部１の吸込口１６から塵埃を吸い込むための吸気流を発生させるファン及び該ファンを回転させるモータを備えている。仕切板１４及び背面壁１３には、夫々複数のスリットが形成されており、電動送風機２によって発生した吸気流は、本体部１の正面側から背面側を通過するように構成してある。
【００４１】
また、本体部１の吸込口１６と電動送風機２との間には、吸気流によって吸込口１６から吸い込まれた塵埃を集塵する集塵袋３を収容する集塵室１ａが形成されている。集塵室１ａは、底面部１１、底面部１１の正面側及び背面側に略垂直に形成されている正面壁１２、仕切板１４、底面部１１の両側に略垂直に形成された両側壁１５によって構成されている。
【００４２】
集塵袋３は、開口を有しており、吸込口１６に集塵袋３の開口を対向させた状態で集塵室１ａに収容される。
集塵室１ａの電動送風機２側、即ち仕切板１４には、フィルタが取り着けられており、集塵袋３を通過した微細粉塵を捕集する。
【００４３】
また、両側壁１５の仕切板１４寄りの下側部分には、略矩形の圧縮板４の一端４ａが、両側壁１５に略垂直な回動軸４ｃによって回動自在に支持されている。圧縮板４は、格子状又は網目状に形成された複数の通気孔４ｄを有している。圧縮板４の横方向及び上下方向の長さは、集塵室１ａの横方向及び上下方向の長さと略同一、つまり集塵室１ａに対して回動した場合、集塵袋３を背面側から吸込口１６側へ圧縮できる長さである。また、圧縮板４の一端４ａには、圧縮板４を仕切板１４側へ付勢する図示しないねじりコイルバネが設けられている。
【００４４】
更に、電動送風機２側の側壁１５の上下方向略中央部には、略Ｕ字状に湾曲した把持部５の端部５ａが夫々横方向の回動軸５ｂによって回動自在に支持されている。把持部５の湾曲部５ｄは、本体部１の背面側と上側とで、本体部１に当接して係止する。また、把持部５の端部５ａ、特に回動軸５ｂより適宜長湾曲部５ｄ寄り部分には、把持部５に加えられた外力を、駆動力として圧縮板４へ伝達する駆動力伝達部６に当接する当接部５ｃを有している。
【００４５】
駆動力伝達部６は、仕切板１４に設けられた挿通孔１４ａに挿通していて、把持部５の当接部５ｃに当接している把持部側当接端６ａと、圧縮板４の他端４ｂに当接する圧縮板側当接端６ｂとを有する線材からなる。外力によって、把持部５の湾曲部５ｄが背面側から上側に回動した場合、把持部５を回動させる回動力は、把持部５の当接部５ｃから駆動力伝達部６を背面側から正面側に長手方向に直線移動させる力として伝達される。駆動力伝達部６は、圧縮板４を正面側に押圧して回動させる力を圧縮板４に与える。
【００４６】
仕切板１４に設けられた挿通孔１４ａには、仕切板１４と駆動力伝達部６との間をシールする環状のシール部材７が接着されている。
【００４７】
上述のように構成された電気掃除機にあっては、電動送風機２が駆動した場合、電動送風機２により発生された吸気流とともに、吸込口１６から吸い込まれた塵埃は、集塵袋３の背面側内面に衝突し、該内面に沿って上方及び下方へ移動し、更に正面側へ移動して、集塵袋３内の上側及び下側に溜まる。
【００４８】
図１に示すように、矢符Ａで示す方向、つまり把持部５を背面側から上側に回動させた場合、把持部５に形成された当接部５ｃは正面側に回動し、駆動力伝達部６は、矢符Ｃで示すように長手方向、正面側に直線移動する。駆動力伝達部６が正面側に直線移動した場合、圧縮板４には、圧縮板４を矢符Ｂで示す正面側に回動させる駆動力が駆動力伝達部６から伝達され、圧縮板４は集塵袋３を正面側に圧縮する。
【００４９】
以上のように、実施の形態１に係る電気掃除機によれば、圧縮板４を駆動する力を電源コードに加える必要はなく、また使用者に意識させることなく、集塵袋３を圧縮することができる。
【００５０】
また、使用者が把持部５を用いて電気掃除機を持ち上げた場合、電気掃除機の自重によって把持部５が回動し、電気掃除機の自重によって把持部５に加えられた外力が、圧縮板４を回動させる。従って、使用者は、無意識に把持部５に外力を加え、圧縮板４を駆動させることができ、集塵袋３を圧縮することができる。
【００５１】
更に、把持部５及び駆動力伝達部６の把持部側当接端６ａは電動送風機２側に位置しているため、駆動力伝達機構が集塵室１ａの一部を占めることはなく、従来の電気掃除機と同量の塵埃を集塵することができる。
【００５２】
更にまた、挿通孔１４ａと駆動力伝達部６との間は、シール部材７によってシールされているため、集塵室１ａに吸い込まれ、集塵袋３から漏れ出た微細な塵埃が、本体部１の電動送風機２側に進入することを防ぐことができる。
【００５３】
（実施の形態２）
図３は、本発明の実施の形態２に係る電気掃除機の略示側断面図、図４は、電気掃除機の要部を示す斜視図、図５は、電気掃除機の要部を示す部分側断面図、図６は、電気掃除機の要部を示す部分平面断面図である。
【００５４】
実施の形態２に係る電気掃除機は、実施の形態１と同様の本体部１０１、電動送風機２、把持部１０５、及び圧縮板４を備えている。図３及び図４に示すように、実施の形態２に係る電気掃除機は、本体部１０１の側面視が略Ｌ字状の線材からなる駆動力伝達部１０６を備えており、把持部１０５に加えられた外力を、駆動力伝達部１０６の回動によって圧縮板４へ伝達するように構成されている。
【００５５】
本体部１０１の仕切板１１４は、平面視が背面方向に凹状となるように、両側壁１１５側にて背面側に屈曲しており、駆動力伝達部１０６が横方向に挿通する挿通孔１１４ａを形成した側面部１１４ｂを有している。
【００５６】
駆動力伝達部１０６は、把持部１０５の当接部１０５ｃに当接する把持部側当接端１０６ａをなす線状部分、該線状部分に対して略直角であり、側面部１１４ｂの挿通孔１１４ａに本体部１０１の横方向に挿通する挿通線状部分１０６ｃ、該挿通線状部分１０６ｃ及び前記線状状部分夫々に対して、略直角であり、圧縮板側当接端１０６ｂを有する線状部分を備えている。
【００５７】
把持部１０５の端部１０５ａに形成された当接部１０５ｃは、駆動力伝達部１０６の把持部側当接端１０６ａの上側に当接しており、把持部１０５が本体部１０１の背面側から上側に回動した場合、把持部側当接端１０６ａは、矢符Ｄで示すように下側に回動する。圧縮板４には、駆動力伝達部１０６の圧縮板側当接端１０６ｂが当接しており、把持部側当接端１０６ａが下側に回動した場合、挿通線状部分１０６ｃが回動して、圧縮板側当接端１０６ｂが圧縮板４を押圧しながら、矢符Ｆで示すように上側に回動し、圧縮板４を正面側に回動させる（図４、図８参照）。
【００５８】
また、仕切板１１４の挿通孔１１４ａには、挿通孔１１４ａと駆動力伝達部１０６との間をシールする環状のシール部材７が挿通孔１１４ａに接着されている。
【００５９】
駆動力伝達部１０６及び仕切板１１４以外の実施の形態２に係る電気掃除機の他の構成、作用及び効果は、実施の形態１に係る構成、作用及び効果と同様であるため、対応する箇所には同様の符号を付して、その詳細な説明を省略する。
【００６０】
このように構成される電気掃除機の動作を説明する。
図７は、把持部１０５から伝達された駆動力によって圧縮板４が回動した状態にある電気掃除機の略示側断面図、図８は、図７の要部を示す斜視図である。把持部１０５の湾曲部１０５ｄが背面側から上側に回動した場合、把持部１０５に形成された当接部１０５ｃは、駆動力伝達部１０６の把持部側当接端１０６ａを下側に押圧する。把持部側当接端１０６ａが下側に押圧された場合、駆動力伝達部１０６の挿通線状部分１０６ｃは、挿通孔１１４ａの中心線を回動中心として回動し、圧縮板側当接端１０６ｂは、上側に回動し、圧縮板４を正面側に押圧する。正面側に押圧された圧縮板４は、集塵袋３を正面側に圧縮する。
【００６１】
実施の形態２に係る電気掃除機にあっては、駆動力伝達部１０６の回動によって、把持部１０５に加えられた外力を圧縮板４の駆動力として圧縮板４へ伝達するため、実施の形態１に係る駆動力伝達部１０６のように挿通孔１１４ａの中心線方向に直線移動する場合に比べて、駆動力伝達部１０６は安定して動作する。
【００６２】
また、挿通孔１１４ａを駆動力伝達部１０６が直線移動する場合に比べて、挿通孔１１４ａと駆動力伝達部１０６との隙間をより狭く構成することができるため、集塵室１０１ａから電動送風機２側に塵埃が進入する虞をより低くすることができる。
【００６３】
更に、挿通孔１１４ａは、電動送風機２による吸気流の流れ方向に対して略垂直方向を向いているため、挿通孔１１４ａが吸気流の流れ方向を向いている場合に比べて、集塵室１０１ａに吸い込まれた塵埃が本体部１０１の電動送風機２側に侵入する虞は低い。
【００６４】
（実施の形態３）
図９は、実施の形態３に係る電気掃除機の略示要部側断面図である。実施の形態３に係る電気掃除機は、実施の形態１と同様の本体部２０１、電動送風機２、把持部２０５、及び圧縮板４を備えている。図９に示すように、実施の形態３に係る電気掃除機は、本体部２０１に対して上下移動する把持部２０５、及び本体部２０１の側面視が略Ｌ字状の線材からなる駆動力伝達部２０６を備えており、把持部２０５に加えられた外力を、駆動力伝達部２０６の回動によって圧縮板４へ伝達するように構成されている。
【００６５】
本体部２０１の仕切板２１４は、実施の形態２と同様、平面視が背面方向に凹状となるように、両側壁２１５側にて背面側に屈曲しており、駆動力伝達部２０６が横方向に挿通する挿通孔２１４ａを形成した側面部２１４ｂを有している。
【００６６】
挿通孔２１４ａには、実施の形態２と同様に、本体部２０１の側面視が略Ｌ字状の駆動力伝達部２０６が挿通している。
【００６７】
また、本体部２０１は、仕切板２１４より電動送風機２側の側壁２１５に、把持部２０５を上下移動可能に支持する凸状の支持部２１５ａを有しており、把持部２０５は、支持部２１５ａが嵌り、把持部２０５が上下動するように案内する案内溝２０５ｅが形成されている。案内溝２０５ｅの上端に支持部２１５ａが当接している場合、把持部２０５は本体部２０１に収容された状態になり、案内溝２０５ｅの下端に支持部２１５ａが当接している場合、把持部２０５は、本体部２０１から突出した状態になる（図１０参照）。
【００６８】
把持部２０５の端部２０５ａには、把持部２０５が本体部２０１に収容されている状態で、駆動力伝達部２０６の把持部側当接端２０６ａの下側に当接する当接部２０５ｃを挿通孔２１４ａの下側に有している。
【００６９】
図１０は、把持部２０５から伝達された駆動力によって圧縮板４が回動した状態にある電気掃除機の略示要部側断面図である。把持部２０５が本体部２０１に収容されている状態から上側に直線移動した場合、当接部２０５ｃは、矢符Ｆで示すように把持部側当接端２０６ａを上側に押圧しながら直線移動し、把持部側当接端２０６ａ及び圧縮板側当接端２０６ｂは、正面側に回動する。圧縮板側当接端２０６ｂが正面側に回動した場合、圧縮板４は、正面側に回動し、集塵袋３を圧縮する。
【００７０】
把持部２０５、駆動力伝達部２０６及び仕切板２１４以外の実施の形態３に係る電気掃除機の他の構成、作用及び効果は、実施の形態１に係る構成、作用及び効果と同様であるため、対応する箇所には同様の符号を付して、その詳細な説明を省略する。
【００７１】
実施の形態３に係る電気掃除機にあっては、把持部２０５が本体部２０１に対して上下動するため、使用者が把持部２０５を用いて電気掃除機を持ち上げた場合、把持部２０５に加わる電気掃除機の自重の方向は、把持部２０５の直線移動方向に一致する。従って、本体部２０１に対して回転移動する把持部２０５を備える電気掃除機に比べて、使用者は、より違和感無く把持部２０５を使用することができ、集塵袋３を圧縮することができる。
【００７２】
（実施の形態４）
図１１及び図１２は、本発明の実施の形態４に係る電気掃除機の略示側断面図である。
実施の形態４に係る電気掃除機は、実施の形態１と同様の本体部３０１、電動送風機２を備えている。実施の形態４に係る電気掃除機は、本体部３０１に対して上下移動する把持部３０５、集塵袋３内に付着した塵埃を落とす除塵機構、及び把持部３０５に加えられた外力を除塵機構に駆動力として伝達する駆動力伝達機構を有している。
【００７３】
本体部３０１は、両側壁３１５の仕切板３１４の背面側に、把持部３０５を上下移動可能に支持する凸状の支持部３１５ａを有しており、把持部３０５には、支持部３１５ａが嵌り、把持部３０５が上下動するように案内する案内溝３０５ｅが形成されている。案内溝３０５ｅの上端に支持部３１５ａが当接している場合、把持部３０５は本体部３０１に収容された状態になり、案内溝３０５ｅの下端に支持部３１５ａが当接している場合、把持部３０５は、本体部３０１から突出した状態になる。
【００７４】
把持部３０５の案内溝３０５ｅより下側部分には、把持部３０５に加えらた外力を除塵機構へ伝達するためのラック６ｄが形成されている。
【００７５】
ラック６ｄには、仕切板３１４に略垂直な回転軸６ｆを有するピニオン６ｅが噛合しており、ピニオン６ｅの回転軸６ｆは、仕切板３１４の挿通孔３１４ａを挿通して除塵機構を構成する回転振動子８１に接続されている。
【００７６】
回転振動子８１は、集塵袋３を振動させる振動板８２に当接しており、回転振動子８１の回転によって振動板８２を振動させる。振動板８２の振動は、集塵袋３に伝わり、集塵袋３内に付着した塵埃は落ちる。
【００７７】
把持部３０５、回転振動子８１、及び振動板８２以外の実施の形態４に係る電気掃除機の他の構成、作用及び効果は、実施の形態１に係る構成、作用及び効果と同様であるため、対応する箇所には同様の符号を付して、その詳細な説明を省略する。
【００７８】
実施の形態４に係る電気掃除機にあっては、把持部３０５が上下移動した場合、把持部３０５に加えられた外力は、ラック６ｄ及びピニオン６ｅを介して、回転振動子８１及び振動板８２からなる除塵機構に伝達され、除塵機構が駆動する。従って、除塵機構を駆動する力を電源コードに加える必要はなく、また使用者に意識させることなく、集塵袋３に付着した塵埃を落とすことができる。
【００７９】
（実施の形態５）
図１３は、実施の形態５に係る電気掃除機の略示側断面図である。実施の形態５に係る電気掃除機は、実施の形態４と同様の本体部４０１、電動送風機２、回転振動子８１、振動板８２、及び実施の形態１と同様の把持部４０５を備えている。
【００８０】
把持部４０５の回動軸４０５ｂには、把持部４０５の回動に連動して回動する大傘歯車６ｇが接続されており、該大傘歯車６ｇには、仕切板４１４に略垂直な回転軸６ｆを有する小傘歯車６ｈが噛合している。小傘歯車６ｈの回転軸６ｆは、仕切板４１４の挿通孔４１４ａに相通して、回転振動子８１の中心部分に接続されている。
【００８１】
把持部４０５が回動した場合、把持部４０５の回動力は、大傘歯車６ｇ及び小傘歯車６ｈを介して回転振動子８１へ伝達され、回転振動子８１の回転によって振動板８２が振動する。
【００８２】
把持部４０５、大傘歯車６ｇ、及び小傘歯車６ｈ以外の実施の形態５に係る電気掃除機の構成、作用及び効果は、実施の形態１及び実施の形態４に係る電気掃除機と同様であるため、対応する箇所には同様の符号を付して、その詳細な説明を省略する。
【００８３】
実施の形態５に係る電気掃除機にあっては、回転振動子８１を回転させる力を電源コードに加える必要がなく、また使用者に意識させることなく、集塵袋３を振動させ、集塵袋３内に付着した塵埃を落とすことができる。
【図面の簡単な説明】
【００８４】
【図１】本発明の実施の形態１に係る電気掃除機の略示側断面図である。
【図２】図１の要部拡大図である。
【図３】本発明の実施の形態２に係る電気掃除機の略示側断面図である。
【図４】電気掃除機の要部を示す斜視図である。
【図５】電気掃除機の要部を示す部分側断面図である。
【図６】電気掃除機の要部を示す部分平面断面図である。
【図７】把持部から伝達された駆動力によって圧縮板が回動した状態にある電気掃除機の略示側断面図である。
【図８】図７の要部を示す斜視図である。
【図９】実施の形態３に係る電気掃除機の略示要部側断面図である。
【図１０】把持部から伝達された駆動力によって圧縮板が回動した状態にある電気掃除機の略示要部側断面図である。
【図１１】本発明の実施の形態４に係る電気掃除機の略示側断面図である。
【図１２】本発明の実施の形態４に係る電気掃除機の略示側断面図である。
【図１３】実施の形態５に係る電気掃除機の略示側断面図である。
【図１４】従来の圧縮機構が設けられた電気掃除機の略示側断面図である。
【図１５】他の従来の電気掃除機の略示側断面図である。
【符号の説明】
【００８５】
１  本体部
１ａ  集塵室
２  電動送風機
３  集塵袋
４  圧縮板
４ａ  圧縮板の一端
４ｂ  圧縮板の他端
４ｃ  回動軸
４ｄ  通気孔
５  把持部
５ｃ  当接部
６  駆動力伝達部
６ｄ  ラック
６ｅ  ピニオン
６ｇ  大傘歯車
６ｈ  小傘歯車
７  シール部材
１４  仕切板
１４ａ  挿通孔
１６  吸込口
８１  回転振動子
８２  振動板
【図１】
2007014549.tif 000003
【図２】
2007014549.tif 000004
【図３】
2007014549.tif 000005
【図４】
2007014549.tif 000006
【図５】
2007014549.tif 000007
【図６】
2007014549.tif 000008
【図７】
2007014549.tif 000009
【図８】
2007014549.tif 000010
【図９】
2007014549.tif 000011
【図１０】
2007014549.tif 000012
【図１１】
2007014549.tif 000013
【図１２】
2007014549.tif 000014
【図１３】
2007014549.tif 000015
【図１４】
2007014549.tif 000016
【図１５】
2007014549.tif 000017